(57)【特許請求の範囲】
【請求項１】
建物、門等に取り付けるための取付部と細長の文字取付部とその回りを装飾する装飾部とを有する表札本体と、文字部とその下部の取付板部とから成る複数の文字体とを備えておき、上記複数の文字体の中から表札用の文字体を選択し、選択された文字体の取付板部をバー状の文字取付部材の長手方向に沿って形成された案内溝に並べてネジ止めした後、この文字取付部材を上記表札本体の文字取付部に固定し、さらに取り付けられた文字体の裏側に、上記文字取付部材と同じ大きさのカバー材を配置し、このカバー材の両端を上記文字取付部の両端に固定することを特徴とする表札の製造方法。
【発明の詳細な説明】
【技術分野】
【０００１】
本発明は門柱や門袖や建物の入り口の壁などに取り付けられる表札の製造方法に関するものである。
【背景技術】
【０００２】
一般に、表札は木製や金属製の長方形の板状体の表面に名前又は名称を表示し、これを門柱に形成された凹部内に嵌め込んでネジで止めるか、門柱に設けたフックに表札を掛け止めるようにして取り付けられている。
【０００３】
これに対し、欧米の表札のように、表札本体にアルファベット文字を透かすように表示し、そのまわりに植物の蔓がからんだような装飾を施して立体的に仕上げたものも採用されるようになっている。このような立体表札は、装飾部分が人目をひくこともあって、最近では少しずつ増える傾向にある。また、機材に文字の形を貫通形成し、機材の裏面に形成した凹所に円形の光透過プレートを嵌め込み、その裏に照明装置を配置して筒体内に収納し、照明装置によって基材の文字状貫通孔を裏側から照らして暗所でも文字を明確に読み取ることができるようにしたものが知られている。
【特許文献１】特開２００１−１９５０００
【発明の開示】
【発明が解決しようとする課題】
【０００４】
しかしながら、従来の立体的な表札は、アルファベットの文字部が表札本体に一体に形成されているものであり、名前や名称に応じて文字配列は決まってしまうから、１個ずつ手作業で作らなければならず、時間がかかるとともに、高価であった。
【０００５】
本発明は上記問題点を解消し、ベースとなる本体に文字が着脱できるようにすることによって、簡単に多様な文字配列に対応して立体的で装飾性に富んだ安価な表札の製造方法を提供することをその課題とする。
【課題を解決するための手段】
【０００６】
前記課題を解決するため、請求項１に係る表札の製造方法は、建物、門等に取り付けるための取付部と細長の文字取付部とその回りを装飾する装飾部とを有する表札本体と、文字部とその下部の取付板部とから成る複数の文字体とを備えておき、上記複数の文字体の中から表札用の文字体を選択し、選択された文字体の取付板部をバー状の文字取付部材の長手方向に沿って形成された案内溝に並べてネジ止めした後、この文字取付部材を上記表札本体の文字取付部に固定し、さらに取り付けられた文字体の裏側に、上記文字取付部材と同じ大きさのカバー材を配置し、このカバー材の両端を上記文字取付部の両端に固定することを特徴とする。
【発明の効果】
【０００７】
請求項１に係る発明によれば、複数の文字体の中から表札用の文字体を選択して文字取付部材にネジ止めしておき、表札本体に上記文字取付部材を固定する構成であるから、ほとんど全ての名前や名称の表札が可能となり、しかも特別の技術は不要であるから、誰でも安価に製作することができる。また、文字体の取付板部を表札本体の文字取付部材にネジ止めすればよいので、取付作業が容易であるとともに、文字部分が取付部によって隠れないようにして、名前や名称の読み取りに支障がないようにすることができる。また、文字取付部の裏側や文字体の取付板部の裏側はカバー材によって覆われるので、外観も損なわれない。
【発明を実施するための最良の形態】
【０００８】
図１は本発明に係る表札の斜視図、図２はその取付状態の正面図、図３は図２のＸ−Ｘ線上の断面図、図４は文字体と文字取付部材の分解斜視図であり、図５は表札の裏側からの分解斜視図である。上記表札は、文字体ａを取り付ける文字取付部１と、その回りを装飾する装飾部２と、門柱、門袖などに取り付ける取付部３とを有する表札本体Ａと、上記文字取付部１に着脱される複数の文字体ａとから構成されている。
【０００９】
表札本体Ａの文字取付部１は横長に形成され、背面の長手方向には凹部４が形成されている。
【００１０】
装飾部２は植物や動物などの具体的なものを立体的に表現するのが好ましいが、星やハートなどを表現してもよい。
【００１１】
文字体ａは図４及び図５に示されるように、文字が表現されている文字部５と、その下部に設けられた取付板部６とからなっている。文字体ａの種類はアルファベットに限定されない。数字や漢字であってもよい。
【００１２】
文字体ａの文字部５の幅と取付板部６の幅とは、互いに比例的に対応している。例えば、図６に示されるように、「Ｂ」、「Ｍ」、「Ｋ」、「Ｒ」等のように幅広の文字には、それに応じて幅広の取付板部６が形成され、「Ｉ」、「Ｌ」等のように幅狭の文字には、それに応じて幅狭の取付板部６が形成されている。
【００１３】
また、取付板部６の中央部にはネジ孔７が形成され、その左右両側には凸部８が形成されている。
【００１４】
図４及び図５に示す符号９は上記文字体ａを固定する文字取付部材である。この文字取付部材９はバー状に形成されている。この文字取付部材９の両端にはネジ孔１０が形成され、中央には長手方向に案内溝１１が形成されている。案内溝１１の溝幅は上記文字体ａの凸部８とほぼ同じく、ネジの頭部の直径よりも小さくなっている。
【００１５】
次に、上記文字体ａを表札本体Ａに取り付けて表札を作る場合、まず、作製しようとする名前や名称に応じて必要な文字体ａを準備し、各文字体ａを文字取付部材９に固定する。文字体ａの取付板部６を文字取付部材９の背面に当接する。このとき、取付板部６の凸部８は案内溝１１に係合させ、文字体ａの姿勢を安定させる。そして、ネジ１２を文字取付部材９の表面側から案内溝１１を通して取付板部６のネジ孔７に止着している。同じ要領で複数の文字体ａを順次上記文字取付部材９の背面に、案内溝１１に沿って配列させて固定する。
【００１６】
文字取付部材９に必要な文字体ａを固定した後、文字取付部材９を表札本体Ａの文字取付部１の背面に当接させ、両端のネジ孔１０から挿通したネジ１３を文字取付部１の両端に止着する。文字体ａを文字取付部材９に固定したネジ１２の頭部は文字取付部１の凹部４内に収まっている。
【００１７】
これにより、文字体ａは文字取付部材９を介して表札本体Ａに取り付けられる。完成した表札は図２に示されるように、門袖１６等にネジ止めすればよい。
【００１８】
なお、文字取付部材９の背面側の文字体ａの取付板部６は裏側に露出する。表札取付部３の裏側が見えないときはそれでもよいが、文字体ａの裏側が隠れるようにするのが好ましい。そのために、文字取付部１の裏面に固定された文字取付部材９の裏に文字取付部材９と略同じ形状のカバー材１４を配置し、このカバー材１４の両端部１４ａを文字取付部１の両端部１ａにネジ止め固定する。カバー材１４によって文字取付部１の裏側は覆われるので、表札をどのように取り付けても、外観が損なわれることがない。また、カバー材１４を取り付けることによって文字取付部材９が補強されるという補助的効果もある。
【００１９】
上述の構成によれば、表札本体Ａに必要な文字体ａを着脱することによって、同じ表札本体Ａに対し文字体ａを入れ替えて取り付けることによってほとんど全ての名前や名称の表札が可能となり、しかもネジで固定できるので、特別の技術は不要であるから、誰でも安価に表札を作ることができる。
【００２０】
また、予め必要な文字体ａを文字取付部材９に固定しておき、表札本体Ａには上記文字取付部材９を固定するので、文字体ａの取付作業は容易である。
【００２１】
しかも、文字体ａの取付板部６を文字取付部材９の案内溝１１に沿って並べられるようにしたので、文字体ａの配列作業を容易に行うことができる。
【００２２】
さらに、文字体ａの取付板部６を表札本体Ａの文字取付部１にネジで固定する構成であるから、文字部分が取付部３によって隠れることがないので、名前や名称の読み取りに支障はない。
【００２３】
文字体ａの文字の幅と取付板部６の幅とは、互いに比例的に対応しているので、複数の文字体ａを並べたときに、図７に示すように、名前又は名称の全体の配列のバランスがよい。
【００２４】
一般には、表札を門袖１６の側部に取り付ける場合が多く、取付部３を表札本体Ａの側部に配置する例が多いと考えられるが、表札の取り付けはこの例に限定されない。例えば、表札を門袖１６の上部に取り付けるときは、取付部３は表札本体Ａの下部に配置され、また、図８（ａ）のように、表札を門袖１６の表面に取り付けるときは、表札本体Ａの裏側に配置される。この場合、同図（ｂ）のように、表札は表札本体Ａの裏側に突出した取付部３にブラケット１７を介して門袖１６の表面に固定すればよい。もちろん、表札は門袖に取り付ける例に限定されるものではなく、門柱や建物の外壁に取り付けてもよい。
【００２５】
また、文字体ａの取付板部６の幅も、必ずしも文字の幅と関係なく一定の幅にしてもよい。これに関連し、文字体ａとしては、必ずしも文字だけでなく、数字や記号を含むものとする。そして、標準的には文字取付部１に９文字程度が並べられる構造としておき、実際には６文字分だけ使うという場合は、文字の両側が大きく残るわけであるから、その余った部分に図７のように音符や星形記号などの文字体ａを、同じ要領で取り付ければよい。
【図面の簡単な説明】
【００２６】
【図１】本発明に係る表札の斜視図である。
【図２】上記表札の取付状態の正面図である。
【図３】図２のＸ−Ｘ線上の断面図である。
【図４】文字体と文字取付部材の分解斜視図である。
【図５】表札の裏側からの分解斜視図である。
【図６】文字体の例の正面図である。
【図７】文字体の取付状態を示す正面図
【図８】（ａ）（ｂ）は表札を門袖の表面に取り付けた状態の正面図及び平面図
【符号の説明】
【００２７】
Ａ  表札本体
ａ  文字体
１  文字取付部
２  装飾部
３  取付部
９  文字取付部材
【図１】
0003774721.tif 000002
【図２】
0003774721.tif 000003
【図３】
0003774721.tif 000004
【図４】
0003774721.tif 000005
【図５】
0003774721.tif 000006
【図６】
0003774721.tif 000007
【図７】
0003774721.tif 000008
【図８】
0003774721.tif 000009